(57)【要約】【課題】冷房排熱給湯運転から冷房運転への切り替えの際、室温上昇により冷房感が損なわれるのを防止する。【解決手段】ヒートポンプ給湯機１は、排熱利用給湯運転を終了するために予め定められた所定の終了タイミングが到来した場合に、室内温度Ｔｒがエアコン設定温度Ｔｃｏｎよりも高いか否かを判定し、高い場合には、排熱利用給湯運転から通常冷房運転への切替タイミングを遅らせ、給湯処理を延長して実行する。これにより、より室内空間が冷えた状態で前記切り替えを行うことができるので、中断によって前記室内温度Ｔｒが上昇したとしても、冷房感が損なわれるのを抑制し、快適性を維持することができる。【選択図】図１０
2020056513.tif 000002
【特許請求の範囲】
【請求項１】
冷媒と外気との熱交換を行う、凝縮器として機能するヒートポンプ熱交換器と、
前記ヒートポンプ熱交換器に接続される圧縮機と、
前記冷媒と水との熱交換を行う、凝縮器として機能する水冷媒熱交換器と、
前記冷媒と室内空気との熱交換を行う、蒸発器として機能する室内熱交換器と、
を有し、
前記水冷媒熱交換器の水側に、湯水を貯湯する貯湯タンクを環状に接続するための湯水配管を接続し、
前記ヒートポンプ熱交換器及び前記水冷媒熱交換器の冷媒側のうち少なくとも１つと、前記圧縮機と、前記室内熱交換器とを、冷媒配管で接続して冷媒循環回路を形成し、
前記圧縮機の吐出側に対し凝縮器としての前記ヒートポンプ熱交換器の入口側を連通するとともに、前記圧縮機の吸入側に出口側が連通された蒸発器としての前記室内熱交換器の入口側に対し、前記凝縮器としてのヒートポンプ熱交換器の出口側を連通する、大気排熱冷房モード、及び、前記圧縮機の吐出側に対し凝縮器としての前記水冷媒熱交換器の入口側を連通するとともに、前記圧縮機の吸入側に出口側が連通された蒸発器としての前記室内熱交換器の入口側に対し、前記凝縮器としての水冷媒熱交換器の出口側を連通し、前記水冷媒熱交換器にて加温された湯水を前記貯湯タンクへ給湯する給湯処理を行う、排熱利用冷房モード、を切替可能に構成され、
かつ、
前記排熱利用冷房モードにおいて開始された前記給湯処理を終了するために予め定められた所定の終了タイミングが到来したか否かを判定するタイミング判定手段と、
前記タイミング判定手段で前記終了タイミングが到来したと判定されたことを契機とする所定の切替タイミングで、前記排熱利用冷房モードから前記大気排熱冷房モードへと切り替える、冷房モード切替手段と、
を有する冷房排熱貯湯装置において、
前記タイミング判定手段で前記終了タイミングが到来したと判定された場合に、前記室内空気の実室温がその時点で設定されている目標室温よりも高いか否かを判定する第１温度判定手段と、
前記第１温度判定手段で前記実室温が前記目標室温よりも高いと判定された場合に、前記排熱利用冷房モードから前記大気排熱冷房モードへの前記切替タイミングを遅らせて、前記排熱利用冷房モードにおける前記給湯処理を延長して実行する延長処理手段と、
を有することを特徴とする冷房排熱貯湯装置。
【請求項２】
前記終了タイミングは、
前記排熱利用冷房モードにおける前記給湯処理の給湯性能に係わる給湯影響温度因子が、予め定められた所定値に達したタイミングであり、
前記切替タイミングは、
前記給湯影響温度因子が、前記所定値に所定の偏差△を加えた値に達したタイミングである
ことを特徴とする請求項１記載の冷房排熱貯湯装置。
【請求項３】
前記タイミング判定手段で前記終了タイミングが到来したと判定された場合に、前記室内空気の実室温が前記目標室温以下の所定範囲内であるか否かを判定する第２温度判定手段をさらに有し、
前記延長処理手段は、
前記第１温度判定手段で前記実室温が前記目標室温よりも高いと判定された場合、若しくは、前記第２温度判定手段で前記実室温が前記所定範囲内であると判定された場合に、前記排熱利用冷房モードにおける前記給湯処理を延長して実行する
ことを特徴とする請求項２記載の冷房排熱貯湯装置。
【請求項４】
前記実室温−前記目標室温の温度差に応じて、前記延長処理手段による前記給湯処理の延長期間を可変に設定する延長設定手段をさらに有する
ことを特徴とする請求項３記載の冷房排熱貯湯装置。
【請求項５】
前記延長設定手段は、
前記温度差が大きいほど前記延長期間を長く、前記温度差が小さいほど前記延長期間を短く設定する
ことを特徴とする請求項４記載の冷房排熱貯湯装置。
【請求項６】
前記実室温が、前記目標室温を含む所定の制御レンジ内となるように前記圧縮機を制御する圧縮機制御手段をさらに有し、
前記延長処理手段は、
前記第１温度判定手段で前記実室温が前記制御レンジ内において前記目標室温よりも高いと判定された場合、若しくは、前記第２温度判定手段で前記実室温が前記制御レンジ内において前記所定範囲内であると判定された場合、前記実室温−前記目標室温の温度差に応じて可変に設定される前記延長期間に基づき、前記給湯処理を延長して実行し、
前記第２温度判定手段で前記実室温が前記所定範囲より低いと判定された場合には、前記切替タイミングを遅らせることなく、前記排熱利用冷房モードから前記大気排熱冷房モードへの切替を実行する
ことを特徴とする請求項４又は請求項５記載の冷房排熱貯湯装置。
【請求項７】
前記終了タイミングは、
前記給湯影響温度因子としての、前記貯湯タンク内における湯水の温度の第１検出値が、第１所定温度に達したタイミングであり、
前記切替タイミングは、
前記第１検出値が、前記第１所定温度に所定の第１温度偏差△Ｔ１を加えた値に達したタイミングである
ことを特徴とする請求項２乃至請求項６のいずれか１項記載の冷房排熱貯湯装置。
【請求項８】
前記終了タイミングは、
前記給湯影響温度因子としての、前記排熱利用冷房モードにおいて前記湯水配管から前記水冷媒熱交換器の水側に流入する湯水の温度の第２検出値が、第２所定温度に達したタイミングであり、
前記切替タイミングは、
前記第２検出値が、前記第２所定温度に所定の第２温度偏差△Ｔ２を加えた値に達したタイミングである
ことを特徴とする請求項２乃至請求項６のいずれか１項記載の冷房排熱貯湯装置。
【請求項９】
前記終了タイミングは、
前記給湯影響温度因子としての、前記排熱利用冷房モードにおいて前記水冷媒熱交換器の冷媒側から前記冷媒配管内へ流出する冷媒の温度の第３検出値が、第３所定温度に達したタイミングであり、
前記切替タイミングは、
前記第３検出値が、前記第３所定温度に所定の第３温度偏差△Ｔ３を加えた値に達したタイミングである
ことを特徴とする請求項２乃至請求項６のいずれか１項記載の冷房排熱貯湯装置。
【発明の詳細な説明】
【技術分野】
【０００１】
この発明は、水冷媒熱交換器において冷凍サイクル内の冷媒と貯湯タンク内へ通じる湯水との熱交換を行う、冷房排熱貯湯装置に関するものである。
【背景技術】
【０００２】
従来よりこの種の冷房排熱貯湯装置においては、特許文献１記載のように、夏期の冷房運転時において、室内熱交換器から吸熱した熱（いわゆる冷房排熱）を水冷媒熱交換器に導入し、水側へ放熱を行うことで給湯に活用するものがあった。
【先行技術文献】
【特許文献】
【０００３】
【特許文献１】特開平５−５５７７号公報
【発明の概要】
【発明が解決しようとする課題】
【０００４】
前記の従来技術においては、冷房排熱を活用した給湯運転が行われる。通常、ある程度の量の給湯が完了するとその給湯運転は終了し、通常の大気排熱による冷房運転に切り替えられる。
【０００５】
ここで、前記冷房排熱による給湯運転と大気排熱による冷房運転とでは冷媒の経路が互いに異なる。このため、前記のように冷房排熱の給湯運転から大気排熱による冷房運転へ切り替わる際には、（例えば故障防止等の観点から）それまで駆動されていた圧縮機をいったん停止し、冷媒経路を切り替えた後に、圧縮機を再起動する必要がある。この処理には通常数分程度を要することから、前記冷房排熱による給湯運転から大気排熱による冷房運転への切り替えの際、前記圧縮機の運転中断（言い換えれば冷房運転の中断）により、室内空間の室温が上昇する。このため、中断前の室温によっては、前記上昇によって冷房感が損なわれてしまう問題があった。
【課題を解決するための手段】
【０００６】
上記課題を解決するために、本発明の請求項１では、冷媒と外気との熱交換を行う、凝縮器として機能するヒートポンプ熱交換器と、前記ヒートポンプ熱交換器に接続される圧縮機と、前記冷媒と水との熱交換を行う、凝縮器として機能する水冷媒熱交換器と、前記冷媒と室内空気との熱交換を行う、蒸発器として機能する室内熱交換器と、を有し、前記水冷媒熱交換器の水側に、湯水を貯湯する貯湯タンクを環状に接続するための湯水配管を接続し、前記ヒートポンプ熱交換器及び前記水冷媒熱交換器の冷媒側のうち少なくとも１つと、前記圧縮機と、前記室内熱交換器とを、冷媒配管で接続して冷媒循環回路を形成し、前記圧縮機の吐出側に対し凝縮器としての前記ヒートポンプ熱交換器の入口側を連通するとともに、前記圧縮機の吸入側に出口側が連通された蒸発器としての前記室内熱交換器の入口側に対し、前記凝縮器としてのヒートポンプ熱交換器の出口側を連通する、大気排熱冷房モード、及び、前記圧縮機の吐出側に対し凝縮器としての前記水冷媒熱交換器の入口側を連通するとともに、前記圧縮機の吸入側に出口側が連通された蒸発器としての前記室内熱交換器の入口側に対し、前記凝縮器としての水冷媒熱交換器の出口側を連通し、前記水冷媒熱交換器にて加温された湯水を前記貯湯タンクへ給湯する給湯処理を行う、排熱利用冷房モード、を切替可能に構成され、かつ、前記排熱利用冷房モードにおいて開始された前記給湯処理を終了するために予め定められた所定の終了タイミングが到来したか否かを判定するタイミング判定手段と、前記タイミング判定手段で前記終了タイミングが到来したと判定されたことを契機とする所定の切替タイミングで、前記排熱利用冷房モードから前記大気排熱冷房モードへと切り替える、冷房モード切替手段と、を有する冷房排熱貯湯装置において、前記タイミング判定手段で前記終了タイミングが到来したと判定された場合に、前記室内空気の実室温がその時点で設定されている目標室温よりも高いか否かを判定する第１温度判定手段と、前記第１温度判定手段で前記実室温が前記目標室温よりも高いと判定された場合に、前記排熱利用冷房モードから前記大気排熱冷房モードへの前記切替タイミングを遅らせて、前記排熱利用冷房モードにおける前記給湯処理を延長して実行する延長処理手段と、を有するものである。
【０００７】
また、請求項２では、前記終了タイミングは、前記排熱利用冷房モードにおける前記給湯処理の給湯性能に係わる給湯影響温度因子が、予め定められた所定値に達したタイミングであり、前記切替タイミングは、前記給湯影響温度因子が、前記所定値に所定の偏差△を加えた値に達したタイミングである。
【０００８】
また、請求項３では、前記タイミング判定手段で前記終了タイミングが到来したと判定された場合に、前記室内空気の実室温が前記目標室温以下の所定範囲内であるか否かを判定する第２温度判定手段をさらに有し、前記延長処理手段は、前記第１温度判定手段で前記実室温が前記目標室温よりも高いと判定された場合、若しくは、前記第２温度判定手段で前記実室温が前記所定範囲内であると判定された場合に、前記排熱利用冷房モードにおける前記給湯処理を延長して実行するものである。
【０００９】
また、請求項４では、前記実室温−前記目標室温の温度差に応じて、前記延長処理手段による前記給湯処理の延長期間を可変に設定する延長設定手段をさらに有するものである。
【００１０】
また、請求項５では、前記延長設定手段は、前記温度差が大きいほど前記延長期間を長く、前記温度差が小さいほど前記延長期間を短く設定するものである。
【００１１】
また、請求項６では、前記実室温が、前記目標室温を含む所定の制御レンジ内となるように前記圧縮機を制御する圧縮機制御手段をさらに有し、前記延長処理手段は、前記第１温度判定手段で前記実室温が前記制御レンジ内において前記目標室温よりも高いと判定された場合、若しくは、前記第２温度判定手段で前記実室温が前記制御レンジ内において前記所定範囲内であると判定された場合、前記実室温−前記目標室温の温度差に応じて可変に設定される前記延長期間に基づき、前記給湯処理を延長して実行し、前記第２温度判定手段で前記実室温が前記所定範囲より低いと判定された場合には、前記切替タイミングを遅らせることなく、前記排熱利用冷房モードから前記大気排熱冷房モードへの切替を実行するものである。
【００１２】
また、請求項７では、前記終了タイミングは、前記給湯影響温度因子としての、前記貯湯タンク内における湯水の温度の第１検出値が、第１所定温度に達したタイミングであり、前記切替タイミングは、前記第１検出値が、前記第１所定温度に所定の第１温度偏差△Ｔ１を加えた値に達したタイミングである。
【００１３】
また、請求項８では、前記終了タイミングは、前記給湯影響温度因子としての、前記排熱利用冷房モードにおいて前記湯水配管から前記水冷媒熱交換器の水側に流入する湯水の温度の第２検出値が、第２所定温度に達したタイミングであり、前記切替タイミングは、前記第２検出値が、前記第２所定温度に所定の第２温度偏差△Ｔ２を加えた値に達したタイミングである。
【００１４】
また、請求項９では、前記終了タイミングは、前記給湯影響温度因子としての、前記排熱利用冷房モードにおいて前記水冷媒熱交換器の冷媒側から前記冷媒配管内へ流出する冷媒の温度の第３検出値が、第３所定温度に達したタイミングであり、前記切替タイミングは、前記第３検出値が、前記第３所定温度に所定の第３温度偏差△Ｔ３を加えた値に達したタイミングである。
【発明の効果】
【００１５】
この発明の請求項１によれば、ヒートポンプ熱交換器、水冷媒熱交換器、室内熱交換器、圧縮機等を有しており、冷房運転を少なくとも２つのモード（大気排熱冷房モード、排熱利用冷房モード）で行うことができる。
【００１６】
すなわち、大気排熱冷房モードでは、前記圧縮機の吐出側に対し前記ヒートポンプ熱交換器の入口側を連通するとともに、前記圧縮機の吸入側に出口側が連通された前記室内熱交換器の入口側に対し、前記ヒートポンプ熱交換器の出口側を連通することができる。この場合、圧縮機から吐出された高温高圧の冷媒ガスがヒートポンプ熱交換器（凝縮器として機能）で外気へ放熱し凝縮して液体冷媒となり、その後室内熱交換器（蒸発器として機能）で蒸発することで室内空気から吸熱して圧縮機へと戻る、通常の冷房運転が実現される。
【００１７】
一方、前記水冷媒熱交換器の水側は、湯水配管を介して貯湯タンクに接続されている。請求項１によれば、排熱利用冷房モードにおいて、前記水冷媒熱交換器において貯湯タンク内からの湯水に対しての熱交換（放熱）を行い、冷房運転時においてその熱交換時の放熱を活用することができる。
【００１８】
すなわち、前記排熱利用冷房モードにおいて、前記圧縮機の吐出側に対し前記水冷媒熱交換器の入口側を連通するとともに、前記圧縮機の吸入側に出口側が連通された前記室内熱交換器の入口側に対し、前記水冷媒熱交換器の出口側を連通することができる。この場合、圧縮機吐出側→水冷媒熱交換器→室内熱交換器→圧縮機吸入側の経路の冷凍サイクルが形成され、前記のようにして室内熱交換器（蒸発器として機能）において室内空気から吸熱した後に圧縮機から吐出された高温ガスの熱を、水冷媒熱交換器（凝縮器として機能）において水側に放熱することができる。この結果、夏期における冷房排熱を貯湯タンクへの湯水の加温（給湯）に活用する、排熱利用の冷房運転を実現することができる。
【００１９】
このとき、請求項１によれば、排熱利用冷房モードにより貯湯タンクの給湯処理を開始した後、その給湯処理を終了する所定の終了タイミングが、予め定められている。そして、排熱利用冷房モードにおいて前記終了タイミングが到来したことがタイミング判定手段によって判定されると、これを契機とした所定の切替タイミングにおいて前記冷房排熱を利用した給湯処理が終了され、冷房モード切替手段によって、前記の排熱利用冷房モードから前記大気排熱冷房モードへと切り替えられる。通常は、予め定められた量の貯湯タンク内の湯水の加温が終了した段階で前記終了タイミングが到来し、前記モード切替によって、それ以降は前記冷房排熱は大気へと排熱されるようになる。
【００２０】
ここで、排熱利用冷房モードと大気排熱冷房モードとは、前記のように冷媒の経路が互いに異なることから、前記のように排熱利用冷房モードから前記大気排熱冷房モードへ切り替える際、（例えば故障防止等の観点から）それまで駆動されていた圧縮機をいったん停止し、冷媒経路を切り替えた後に、圧縮機を再起動する必要がある。この処理には通常数分程度を要することから、前記排熱利用モードから大気排熱冷房モードへの切り替えの際、前記圧縮機の運転中断（言い換えれば冷房運転の中断）により、室内空間の室温が上昇する。このため、中断前の室温によっては、前記上昇によって冷房感が損なわれてしまう可能性がある。
【００２１】
そこで、請求項１によれば、第１温度判定手段と、延長処理手段と、が設けられる。前記タイミング判定手段によって前記終了タイミングが到来したと判定されると、まず、前記第１温度判定手段によって室内空気の実際の温度（実室温）が、設定されている目標室温よりも高いか否か、が判定される。そして、実室温が目標室温よりも高いと判定された場合には、前記延長処理手段によって、前記排熱利用冷房モードから前記大気排熱冷房モードへの前記切替タイミングを遅らせることで、前記排熱利用冷房モードにおける前記給湯処理を延長して実行する。これにより、延長を行わない場合に比べ、より室内空間が冷えた状態で前記モード切り替えを行うことができる。この結果、前記の中断によって室温が上昇したとしても、冷房感が損なわれるのを抑制し、快適性を維持することができる。
【００２２】
また、請求項２によれば、給湯性能に係わる給湯影響温度因子が所定値に達したか否かを終了タイミングとすることで、予め定められた量の貯湯タンク内の湯水の加温終了を確実に見極めることができる。また、その終了タイミングに偏差△を加えて切り替えタイミングとし時期的判断の基準とすることで、延長処理を実行することによる給湯性能への影響を最小限に抑えつつ、冷房感が損なわれるのを抑制することができる。
【００２３】
また、請求項３によれば、前記モード切替のために圧縮機を停止する際、前記実室温が目標室温を下回っていたとしても、その差がそれほど大きくない場合は、前記停止に伴う前記室温上昇によって冷房感が損なわれる可能性があり得る。請求項３によれば、これに対応し、目標室温近傍で目標室温より低い温度範囲（所定範囲）が予め定められており、前記終了タイミングの到来時に、第２温度判定手段によって実室温が当該所定範囲内であるか否かが判定される。そして、前記実室温が前記所定範囲内であった場合についても、延長処理手段によって前記給湯処理の延長が実行される。これにより、室温上昇により冷房感が損なわれるのを確実に防止することができる。
【００２４】
また、請求項４によれば、室温上昇によって冷房感が損なわれる下限温度をある一定値としたとき、実室温と目標室温との温度差が大きい高い場合には、室温上昇時に前記下限温度に達しないようにするためには延長処理時に大きく温度低下させる必要があるのに対し、実室温と目標室温との温度差が小さい場合には、室温上昇時に前記下限温度に達しないようにするために延長処理時にそれほど大きく温度低下させる必要はない。これに対応して、請求項４によれば、温度設定手段が、前記実室温から前記目標室温を差し引いた温度差に応じて、前記延長処理手段による前記給湯処理の延長期間を可変に設定する。これにより、例えば実室温が目標室温よりもかなり高い場合において室温上昇時に前記下限温度に達しないようにできる一方、実室温が目標室温よりもそれほど高くない場合においては給湯処理を最小限にとどめることができる。
【００２５】
また、請求項５によれば、請求項５によれば、実室温が目標室温よりもかなり高い場合においても室温上昇時に確実に前記下限温度に達しないようにできるとともに、実室温が目標室温よりもそれほど高くない場合においては給湯処理を最小限にとどめ、必要以上に無駄な加温を行わないようにすることができる。
【００２６】
また、請求項６によれば、圧縮機制御手段による圧縮機の制御により、前記実室温は、所定の制御レンジ（前記目標室温を含む）内において変動するように制御される。そして、実室温がそのように制御レンジ内に限定されて変動する際において、前記目標室温よりも高い場合、及び、前記目標室温よりも低い前記所定範囲内である場合には、前記延長期間だけ給湯処理が延長して実行される。これにより、前記した圧縮機の運転中断に伴う室温上昇時において確実に前記下限温度に達しないようにすることができる。また、前記制御レンジ内を変動する実室温が前記所定範囲より低い場合には、実室温が十分に目標室温よりも低いことから、前記給湯処理の延長を行わないようにすることで、無駄な加温を行わないようにすることができる。
【００２７】
また、請求項７によれば、貯湯タンク内の湯水温度が第１所定温度に達した後、さらに第１温度偏差△Ｔ１を加えた値に達したタイミングまで前記給湯処理が実行される。このように給湯される貯湯タンク内の湯水温度を監視しつつ延長処理を行うことにより、給湯性能への影響を確実に抑えつつ冷房感が損なわれるのを抑制することができる。
【００２８】
また、請求項８によれば、冷媒側と熱交換して受熱する湯水が水冷媒熱交換器に流入するときの湯水温度が第２所定温度に達した後、さらに第２温度偏差△Ｔ１を加えた値に達したタイミングまで前記給湯処理が実行される。このように貯湯タンク内へ給湯される直前の湯水温度を監視しつつ延長処理を行うことにより、給湯性能への影響を確実に抑えつつ冷房感が損なわれるのを抑制することができる。
【００２９】
また、請求項９によれば、湯水側と熱交換して放熱する冷媒が水冷媒熱交換器から流出するときの温度が第３所定温度に達した後、さらに第３温度偏差△Ｔ３を加えた値に達したタイミングまで前記給湯処理が実行される。このように、貯湯タンク内へ給湯される湯水と熱交換した直後の冷媒温度を監視しつつ延長処理を行うことにより、給湯性能への影響を確実に抑えつつ冷房感が損なわれるのを抑制することができる。
【図面の簡単な説明】
【００３０】
【図１】本発明の一実施形態の冷暖房機能付き給湯機の回路構成図
【図２】室外機制御部の機能的構成図
【図３】熱交換制御部の機能的構成図
【図４】室内機制御部の機能的構成図
【図５】貯湯制御部の機能的構成図
【図６】ヒーポン制御部の機能的構成図
【図７】通常冷房運転時の作動を説明する図
【図８】排熱利用給湯運転時の作動を説明する図
【図９】比較例における通常冷房運転から排熱利用給湯運転への切替時の温度挙動を説明する図
【図１０】実施形態における通常冷房運転から排熱利用給湯運転への切替時の温度挙動を説明する図
【図１１】実施形態における通常冷房運転から排熱利用給湯運転への切替時の温度挙動を説明する図
【図１２】実施形態における通常冷房運転から排熱利用給湯運転への切替時の温度挙動を説明する図
【図１３】室内温度とエアコン設定温度との温度差に応じて可変に調整される補正値を表す表
【図１４】熱交換制御部等により実行される処理手順を表すフローチャート図
【発明を実施するための形態】
【００３１】
以下、本発明の一実施形態を図１〜図１４に基づいて説明する。
【００３２】
本実施形態の冷暖房機能付きヒートポンプ給湯機１（冷房排熱貯湯装置に相当）全体の回路構成を図１に示す。
【００３３】
図１において、本実施形態のヒートポンプ給湯機１は、貯湯タンク２を備えた貯湯ユニット１００と、エアコン室外機としての室外機ユニット３００と、エアコン室内機としての室内機ユニット２００と、熱交換ユニット４００と、ヒートポンプユニット５００と、を有している。
【００３４】
前記熱交換ユニット４００は、冷媒を流通させる冷媒側の流路１５ｂと水側の流路１５ａとを有し、高温高圧の冷媒と貯湯タンク２内の湯水とを熱交換する水冷媒熱交換器１５と、沸上ポンプ１９と、を備えている。すなわち、前記水冷媒熱交換器１５の前記水側の流路１５ａと前記貯湯タンク２とが湯水配管としての加熱往き管５及び加熱戻り管６によって環状に接続され、前記貯湯ユニット１００及び熱交換ユニット４００内で湯水循環回路としての加熱循環回路４が形成されている。
【００３５】
加熱往き管５は、配管５ａ、配管５ｂ、配管５ｃ、配管５ｄを備えており、配管５ｂ，５ｃは、三方弁１０Ｅを介し、配管５ａから分岐して接続されている。前記配管５ｂは前記貯湯タンク２の下部に接続され、前記配管５ｃは、前記貯湯タンク２の高さ方向中間部に接続された、中温水取り出し用の前記配管５ｄに接続されている。
【００３６】
加熱戻り管６は、配管６ａ、配管６ｂ、配管６ｃ、配管６ｄ、配管６ｅを備えており、配管６ｂ，６ｃは、三方弁１０Ｃを介し、配管６ａから分岐して接続されている。前記配管６ｂは前記貯湯タンク２の上部に接続され、前記配管６ｄ，６ｅが、三方弁１０Ｄを介し、前記配管６ｃから分岐して接続されている。配管６ｄは、前記貯湯タンク２の高さ方向中間部に接続されており、配管６ｅは、前記貯湯タンク２の下部に接続されて貯湯タンク２に水を給水する給水管７に接続されている。給水管７からは給水バイパス管９が分岐して設けられている。
【００３７】
前記沸上ポンプ１９は、前記配管５ａの途中に設けられ、前記水側の流路１５ａを介し前記加熱往き管５からの湯水を前記加熱戻り管６へ流通させつつ、貯湯タンク２の湯水を循環させる。なお、前記加熱往き管５には、前記水冷媒熱交換器１５の前記水側の流路１５ａに流入する入水温度Ｔ１（湯水の入口温度）を検出する入水温度センサ２３が設けられ、前記加熱戻り管６には、前記水側の流路１５ａから前記貯湯タンク２に向かって流出する沸上温度Ｔｂを検出する沸上温度センサ２４が設けられている。
【００３８】
前記貯湯タンク２の上部にはまた、貯湯されている高温水を出湯する出湯管８に備えられた配管８ａが接続されている。出湯管８は、配管８ａの他に配管８ｂ，８ｃを備えており、配管８ａ及び配管８ｂが混合弁１０Ｂを介し配管８ｃへと合流するように接続されている。配管８ｂは、前記配管５ｄに接続されており、配管５ｄから取り出された中温水を前記混合弁１０Ｂへ導く。混合弁１０Ｂは、配管８ａからの高温水と配管８ｂからの中温水を所望の割合で混合し、配管８ｃへと導出する。また、配管８ｃと前記給水バイパス管９とは、混合弁１０Ａを介し出湯管１１へ合流するように接続されている。出湯管１１には、混合弁１０Ａで混合後の給湯温度を検出する給湯温度センサ３７が設けられている。混合弁１０Ａは、給湯温度センサ３７の検出結果に基づき、前記配管８ｃからの湯水と前記給水バイパス管９からの水とを混合して給湯設定温度の湯とする。
【００３９】
なお、貯湯タンク２の側面には、貯湯タンク２内の湯水の温度（貯湯温度）をそれぞれ検出し前記湯水の加熱状況（言い替えれば貯湯状況）を検知するための貯湯温度センサ１２が上下にわたり複数設けられている。
【００４０】
一方、前記水冷媒熱交換器１５において前記貯湯タンク２内の湯水と熱交換（詳細は後述）可能な冷媒循環回路３０（後述の冷媒配管１８、冷媒配管２５、冷媒配管２６を含む）が、前記熱交換ユニット４００、前記室外機ユニット３００、及び前記室内機ユニット２００にわたって設けられている。
【００４１】
すなわち、前記室外機ユニット３００においては、冷媒を圧縮する圧縮機１４と、四方弁３１と、前記冷媒と外気との熱交換により凝縮器又は蒸発器として選択的に機能（詳細は後述）するヒートポンプ熱交換器としての室外熱交換器１７とが、前記冷媒配管１８によって接続されている。なお、室外熱交換器１７には、前記室外熱交換器１７に外気を通じるための室外ファン６７が設けられている。
【００４２】
詳細には、前記冷媒配管１８は、圧縮機１４の吐出側となる配管部１８ａと、前記圧縮機１４の吸入側となる配管部１８ｃと、暖房運転時において前記四方弁３１を介し前記配管部１８ａに接続される配管部１８ｂとを含んでいる。また前記冷媒配管１８は、前記暖房運転時における前記室外熱交換器１７の圧縮機１４側を前記四方弁３１を介し前記配管部１８ｃに接続する配管部１８ｄ，１８ｅと、前記室外熱交換器１７の反圧縮機１４側に接続される配管部１８ｆと、を含んでいる。前記配管部１８ｅは、二方弁１２２を備えており、前記配管部１８ｆは、第１開閉弁としての全閉機能付きの膨張弁１１３を備えている。
【００４３】
前記四方弁３１は４つのポートを備える弁であり、前記冷媒配管１８のうち（冷媒主経路を構成する）前記配管部１８ｂ，１８ｄ用の２つのポートのそれぞれに対して、残りの前記配管部１８ａ，１８ｃ用の２つのポートのいずれを連通するかを切り替える。前記配管部１８ａ，１８ｃ用の２つのポートどうしは、ループ状に配置された前記配管部１８ａ，１８ｃからなる冷媒副経路によって接続されており、この冷媒副経路上に前記圧縮機１４が設けられている。例えば四方弁３１は、暖房側へ切り替えられた場合は、前記圧縮機１４の吐出側である前記配管部１８ａを（後述の室内熱交換器２７の入口側である）前記配管部１８ｂに連通させ、冷房側へ切り替えられた場合は、前記配管部１８ａを前記室外熱交換器１７側である前記配管部１８ｄ，１８ｅに連通させる。
【００４４】
一方、前記熱交換ユニット４００においては、前記冷媒の流路となる冷媒配管２５が備えられており、前記水冷媒熱交換器１５の前記冷媒側の流路１５ｂが、前記冷媒配管２５に接続されている。
【００４５】
詳細には、前記冷媒配管２５は、前記配管１８ｄと前記水冷媒熱交換器１５（詳細には前記冷媒側の流路１５ｂ）の一方側とを接続する配管部２５ａと、前記水冷媒熱交換器１５（詳細には前記冷媒側の流路１５ｂ）のうち前記配管部２５ａの反対側である他方側と前記配管１８ｆとを接続する配管部２５ｂと、を含んでいる。前記配管部２５ａは、前記四方弁３１と前記水冷媒熱交換器１５の前記一方側とを開閉可能な第２開閉弁としての二方弁１２１を備えており、前記配管部２５ｂは全閉機能付きの膨張弁１１１を備えている。
【００４６】
一方、前記室内機ユニット２００においては、前記冷媒の流路となる冷媒配管２６が備えられており、前記冷媒と室内空気との熱交換により凝縮器又は蒸発器として選択的に機能（詳細は後述）する室内熱交換器２７が前記冷媒配管２６に接続されている。なお、室内熱交換器２７には、前記室内熱交換器２７に室内空気を通じるための室内ファン７７が設けられている。
【００４７】
詳細には、前記冷媒配管２６は、前記配管１８ｂに連通して設けられ、前記室内熱交換器２７のうち暖房運転時等における入口側に接続される配管部２６ａと、前記室内熱交換器２７の暖房運転時等における出口側を前記配管１８ｆに接続する配管部２６ｂと、を含んでいる。
【００４８】
また、前記ヒートポンプユニット５００は、冷媒を流通させる冷媒側の流路１１５ｂと水側の流路１１５ａとを有し、高温高圧の冷媒と貯湯タンク２内の湯水とを熱交換可能な水冷媒熱交換器１１５と、沸上ポンプ１１９と、を備えている。すなわち、前記加熱往き管５の配管５ａに設けた三方弁１０Ｆから分岐して設けられた配管１０５ａが前記水冷媒熱交換器１１５の前記水側の流路１１５ａの一方側（図示下側）と接続されるとともに、前記加熱戻り管６の配管６ａから分岐して設けられた配管１０６ａが前記水側の流路１１５ａの他方側（図示上側）に接続されており、これら配管１０６ａ，１０５ａによって前記ヒートポンプユニット５００内で湯水循環回路としての加熱循環回路１０４が形成されている。前記沸上ポンプ１１９は、前記配管１０５ａの途中に設けられ、前記水側の流路１１５ａを介し前記加熱往き管５からの湯水を前記加熱戻り管６へ流通させつつ、貯湯タンク２の湯水を循環させることができる。
【００４９】
また、ヒートポンプユニット５００には、前記水冷媒熱交換器１１５において前記貯湯タンク２内の湯水と熱交換可能な冷媒循環回路１３０が設けられている。すなわち、前記冷媒循環回路１３０において、冷媒を圧縮する圧縮機１１４と、前記冷媒と外気との熱交換により凝縮器又は蒸発器として選択的に機能する室外熱交換器１１７と、膨張弁１２３とが、前記冷媒配管１１８によって接続されている。なお、室外熱交換器１１７には、前記室外熱交換器１１７に外気を通じるための室外ファン１６７が設けられている。
【００５０】
ここで、前記冷媒循環回路３０，１３０内には、冷媒として例えばＲ３２冷媒が用いられ、ヒートポンプサイクルを構成している。なお、冷媒はＨＦＣ冷媒やＨＦＯ冷媒、二酸化炭素冷媒であってもよい。そして、前記冷媒配管１８において、前記配管部１８ａには、圧縮機１４から吐出される冷媒吐出温度Ｔｏｕｔを検出する吐出温度センサ２０が設けられ、前記配管部１８ｃには、圧縮機１４へ吸入される冷媒の冷媒吸入温度Ｔｉｎを検出する吸入温度センサ３２が設けられている。なお、前記室外熱交換器１７には、外気温度Ｔａｉｒを検出する外気温度センサ２２が設けられている。これらのセンサ２０，３２，２２の検出結果は、室外機ユニット３００に設けられた室外機制御部４１０に入力され、さらに適宜、貯湯ユニット１００に設けられた貯湯制御部４２０や室内機ユニット２００に設けられた室内機制御部４３０や熱交換ユニット４００に設けた熱交換制御部４４０やヒートポンプユニット５００に設けたヒーポン制御部４５０へも入力される（室外機制御部４１０を介し受信しても良いし、センサ２０，３２，２２から直接受信してもよい）。
【００５１】
また、前記熱交換ユニット４００の前記冷媒配管２５において、前記配管部２５ｂには、前記冷媒側の流路１５ｂから流出し前記膨張弁１１１に向かう冷媒流出温度Ｔ２（第３検出値）を検出する流出温度センサ２１が設けられている。なお、前記水冷媒熱交換器１５には、前記冷媒が前記冷媒側の流路１５ｂにおいて凝縮する際の冷媒凝縮温度を検出する凝縮温度センサ３３が設けられている。これらのセンサ２１，３３の検出結果は、熱交換ユニット４００に設けられた前記熱交換制御部４４０に入力され、さらに適宜、前記室外機制御部４１０や前記室内機制御部４３０や前記貯湯制御部４２０や前記ヒーポン制御部４５０へも入力される（熱交換制御部４４０を介し受信しても良いし、センサ２１，３３から直接受信してもよい）。
【００５２】
また、室内機ユニット２００の前記冷媒配管２６において、前記室内熱交換器２７には、空調対象空間の室内温度Ｔｒ（室内空気の実室温に相当）を検出する室内温度センサ３４が設けられている。このセンサ３４の検出結果は、室内機ユニット２００に設けられた室内機制御部４３０に入力され、さらに適宜、前記室外機制御部４１０や前記貯湯制御部４２０や前記熱交換制御部４４０や前記ヒーポン制御部４５０へも入力される（室内機制御部４３０を介し受信しても良いし、センサ３４から直接受信してもよい）。
【００５３】
そして、前記貯湯ユニット１００の前記貯湯制御部４２０、前記熱交換ユニット４００の前記熱交換制御部４４０、前記室外機ユニット３００の前記室外機制御部４１０、前記室内機ユニット２００の前記室内機制御部４３０、及び、前記ヒートポンプユニット５００の前記ヒーポン制御部４５０は、互いに通信可能に接続されており、前記各センサの検出結果に基づき、相互に連携しつつ、前記貯湯ユニット１００、前記熱交換ユニット４００、前記室外機ユニット３００、前記室内機ユニット２００、前記ヒートポンプユニット５００内の各機器・アクチュエータの動作を制御する。
【００５４】
このとき、前記室内機ユニット２００は、リモコン等の適宜の操作部６０（以下単に「リモコン６０」と称する）によって操作可能である。すなわち、リモコン６０は、例えば前記室内機制御部４３０に対し情報送受信可能に接続されており、ユーザは、このリモコン６０を適宜に手動操作することにより、いずれの運転を行うかの運転指示、すなわち、大気排熱の冷房運転（以下適宜、「通常冷房運転」等という）、排熱利用給湯の冷房運転（以下適宜、「排熱利用給湯運転」等という）、大気吸熱の暖房運転（以下適宜、「通常暖房運転」等という）等のいずれを行うかを指示することができる。これらのリモコン６０からの指示内容は、室内機ユニット２００に設けられた前記室内機制御部４３０に入力され、さらに適宜、前記室外機制御部４１０や前記熱交換制御部４４０や前記貯湯制御部４２０やヒーポン制御部４５０へも入力される（室内機制御部４３０を介し受信しても良いし、リモコン６０から直接受信してもよい）。
【００５５】
次に、前記室外機ユニット３００に備えられた前記室外機制御部４１０について説明する。室外機制御部４１０は、詳細な図示を省略するが、各種のデータやプログラムを記憶する記憶部と、演算・制御処理を行う制御部とを備えている。この室外機制御部４１０の機能的構成を図２により説明する。
【００５６】
図２に示すように、前記室外機制御部４１０は、四方弁制御部４１０Ａと、圧縮機制御部４１０Ｂ（圧縮機制御手段に相当）と、膨張弁制御部４１０Ｃと、室外ファン制御部４１０Ｄと、二方弁制御部４１０Ｅと、を機能的に備えている。
【００５７】
四方弁制御部４１０Ａには、前記リモコン６０により指示された、いずれの運転を行うかの運転指示と、前記貯湯温度センサ１２により検出された前記貯湯温度とが入力される。
【００５８】
四方弁制御部４１０Ａは、前記運転指示と、前記貯湯温度に対応した前記湯水の加熱状況（貯湯状況）とに応じて、実際にヒートポンプ給湯機１をどのような運転態様（前記の通常冷房運転、排熱利用給湯運転、通常暖房運転等）で運転するかを決定し、対応する運転情報を、前記圧縮機制御部４１０Ｂ、膨張弁制御部４１０Ｃ、室外ファン制御部４１０Ｄ、二方弁制御部４１０Ｅ、及び、貯湯制御部４２０、室内機制御部４３０、熱交換制御部４４０、ヒーポン制御部４５０に出力する。また、四方弁制御部４１０Ａは、上記決定された運転態様に対応する開閉信号を四方弁３１へ出力し、四方弁３１を切り替える（詳細な制御内容は後述）。
【００５９】
圧縮機制御部４１０Ｂには、前記外気温度センサ２２により検出された前記外気温度Ｔａｉｒと、前記室内温度センサ３４により検出された前記室内温度Ｔｒと、前記リモコン６０により設定された前記エアコン設定温度Ｔｃｏｎ（目標室温に相当）とが入力される（直接入力される場合のほか、前記の間接的な入力も含む。以下同様）。圧縮機制御部４１０Ｂは、前記のようにして四方弁制御部４１０Ａから入力される前記運転情報に応じて、入力された前記の温度及び設定のうち少なくとも１つに基づき、前記圧縮機１４の回転数を制御する。なおこのときの圧縮機１４の回転数（制御値）は、後述の熱交換制御部４４０の膨張弁制御部４４０Ｂにも出力される（図示省略）。
【００６０】
膨張弁制御部４１０Ｃには、前記吐出温度センサ２０により検出された前記冷媒吐出温度Ｔｏｕｔと、前記流出温度センサ２１により検出された前記冷媒流出温度Ｔ２と、前記吸入温度センサ３２により検出された前記冷媒吸入温度Ｔｉｎとが入力される。膨張弁制御部４１０Ｃは、前記四方弁制御部４１０Ａからの前記運転情報に応じて、前記の入力された温度のうち少なくとも１つに基づき、前記膨張弁１１３の開度を制御する（詳細な制御内容は後述）。
【００６１】
二方弁制御部４１０Ｅは、前記四方弁制御部４１０Ａからの前記運転情報に応じて、前記二方弁１２２の開閉を制御する（詳細な制御内容は後述）。
【００６２】
室外ファン制御部４１０Ｄには、前記外気温度センサ２２により検出された前記外気温度Ｔａｉｒが入力される。室外ファン制御部４１０Ｄは、前記四方弁制御部４１０Ａからの前記運転情報に応じて、前記外気温度Ｔａｉｒに基づき、前記室外ファン６７の回転数を制御する。
【００６３】
なお、前記運転態様の決定は、貯湯制御部４２０や室内機制御部４３０や熱交換制御部４４０やヒーポン制御部４５０で行っても良い。この場合は、それら貯湯制御部４２０や室内機制御部４３０や熱交換制御部４４０やヒーポン制御部４５０から、決定された運転態様に対応した前記運転情報が室外機制御部４１０に入力され、その入力された運転情報に応じて四方弁制御部４１０Ａ、圧縮機制御部４１０Ｂ、膨張弁制御部４１０Ｃ、室外ファン制御部４１０Ｄ、二方弁制御部４１０Ｅが各種制御を行う。
【００６４】
次に、前記熱交換ユニット４００に備えられた前記熱交換制御部４４０について説明する。熱交換制御部４４０は、前記室外機制御部４１０同様、記憶部と制御部とを備えており、その機能的構成を図３により説明する。
【００６５】
図３に示すように、前記熱交換制御部４４０は、ポンプ制御部４４０Ａと、膨張弁制御部４４０Ｂと、二方弁制御部４４０Ｃとを機能的に備えている。
【００６６】
ポンプ制御部４４０Ａには、前記室外機制御部４１０からの前記運転情報と、前記沸上温度センサ２４により検出された前記沸上温度Ｔｂとが入力される。ポンプ制御部４４０Ａは、前記のようにして室外機制御部４１０から入力される前記運転情報に応じて、入力された前記沸上温度Ｔｂに基づき、前記沸上ポンプ１９の回転数を制御する。
【００６７】
膨張弁制御部４４０Ｂには、前記室外機制御部４１０からの前記運転情報と、前記外気温度センサ２２により検出された前記外気温度Ｔａｉｒと、前記室外機制御部４１０の前記圧縮機制御部４１０Ｂから入力された前記圧縮機１４の回転数（制御値。但し公知の手法で検出された実際の圧縮機１４の回転数を入力しても良い）と、前記流出温度センサ２１により検出された前記冷媒流出温度Ｔ２と、前記吸入温度センサ３２により検出された前記冷媒吸入温度Ｔｉｎと、前記吐出温度センサ２０により検出された前記冷媒吐出温度Ｔｏｕｔとが入力される。膨張弁制御部４４０Ｂは、前記室外機制御部４１０からの前記運転情報に応じて、前記の入力された温度や回転数のうち少なくとも１つに基づき、前記膨張弁１１１０の開閉や開度を制御する（詳細な制御内容は後述）。
【００６８】
二方弁制御部４４０Ｃには、前記室外機制御部４１０からの前記運転情報が入力される。二方弁制御部４４０Ｃは、前記運転情報に基づき、前記二方弁１２１の開閉動作を制御する（詳細な制御内容は後述）。
【００６９】
なお、前記と同様、運転態様の決定を、熱交換制御部４４０内（例えば前記二方弁制御部４４０Ｃ）や室内機制御部４３０や貯湯制御部４２０やヒーポン制御部４５０で行っても良い。この場合は、それら二方弁制御部４４０Ｃや室内機制御部４３０や貯湯制御部４２０やヒーポン制御部４５０で決定した運転態様に対応する運転情報に応じて、ポンプ制御部４４０Ａ、膨張弁制御部４４０Ｂが各種制御を行う。
【００７０】
次に、前記室内機ユニット２００に備えられた前記室内機制御部４３０について説明する。室内機制御部４３０は、前記室外機制御部４１０及び熱交換制御部４４０同様、記憶部と制御部とを備えており、その機能的構成を図４により説明する。
【００７１】
図４に示すように、前記室内機制御部４３０は、室内ファン制御部４３０Ａを機能的に備えている。室内ファン制御部４３０Ａには、前記室外機制御部４１０からの前記運転情報と、前記室内温度センサ３４により検出された前記室内温度Ｔｒと、前記リモコン６０により設定された前記エアコン設定温度Ｔｃｏｎとが入力される。室内ファン制御部４３０Ａは、前記室外機制御部４１０からの前記運転情報に応じて、前記室内温度Ｔｒ及びエアコン設定温度Ｔｃｏｎに基づき、前記室内ファン７７の回転数を制御する。
【００７２】
なお、前記と同様、運転態様の決定を、室内機制御部４３０内や熱交換制御部４４０や貯湯制御部４２０やヒーポン制御部４５０で行っても良い。この場合は、それら室内機制御部４３０や熱交換制御部４４０や貯湯制御部４２０やヒーポン制御部４５０で決定した運転態様に対応する運転情報に応じて、室内ファン制御部４３０Ａが前記制御を行う。
【００７３】
次に、前記貯湯ユニット１００に備えられた前記貯湯制御部４２０について説明する。貯湯制御部４２０は、前記室外機制御部４１０、熱交換制御部４４０、室内機制御部４３０と同様、記憶部と制御部とを備えており、その機能的構成を図５により説明する。
【００７４】
図５に示すように、前記貯湯制御部４２０は、取り出し制御部４２０Ａと、戻し制御部４２０Ｂと、温度制御部４２０Ｃと、を機能的に備えている。
【００７５】
取り出し制御部４２０Ａには、前記室外機制御部４１０からの前記運転情報と、前記貯湯温度センサ１２により検出された前記貯湯温度とが入力される。取り出し制御部４２０Ａは、前記室外機制御部４１０からの前記運転情報と、前記貯湯温度に対応した前記湯水の加熱状況（貯湯状況）とに応じて三方弁１０Ｅの開度を適宜に制御する。これにより、貯湯タンク２内の湯水のうち、配管５ｂを介して貯湯タンク２の下部から低温水を取り出すのか、若しくは、配管５ｄ，５ｃを介して貯湯タンク２の中間部から中温水を取り出すのか、等が制御される。貯湯タンク２から取り出された前記低温水や前記中温水は、前記したように水冷媒熱交換器１５の水側の流路１５ａへと導かれる。
【００７６】
戻し制御部４２０Ｂには、前記室外機制御部４１０からの前記運転情報と、前記貯湯温度センサ１２により検出された前記貯湯温度とが入力される。戻し制御部４２０Ｂは、前記室外機制御部４１０からの前記運転情報と、前記貯湯温度に対応した前記湯水の加熱状況（貯湯状況）とに応じて三方弁１０Ｃ，１０Ｄの開度を適宜に制御する。これにより、水冷媒熱交換器１５において熱交換を行った後の湯水を、配管６ｃ，６ｅを介して貯湯タンク２の下部へ戻すのか、若しくは、配管６ｃ，６ｄを介して貯湯タンク２の中間部へ戻すのか、若しくは、配管６ｂ介して貯湯タンク２の上部へ戻すのか、等が制御される。
【００７７】
温度制御部４２０Ｃには、前記室外機制御部４１０からの前記運転情報と、前記貯湯温度センサ１２により検出された前記貯湯温度と、給湯温度センサ３７により検出された給湯温度と、が入力される。温度制御部４２０Ｃは、前記室外機制御部４１０からの前記運転情報と、前記貯湯温度に対応した前記湯水の加熱状況（貯湯状況）とに応じて、前記給湯温度センサ３７からの前記給湯温度が、前記給湯設定温度となるように、混合弁１０Ａ，１０Ｂの開度を適宜に制御する。
【００７８】
なお、前記と同様、運転態様の決定を、貯湯制御部４２０内や熱交換制御部４４０や室内機制御部４３０やヒーポン制御部４５０で行っても良い。この場合は、それら貯湯制御部４２０や熱交換制御部４４０や室内機制御部４３０で決定した運転態様に対応する運転情報に応じて、取り出し制御分４２０Ａ、戻し制御部４２０Ｂ、温度制御部４２０Ｃが前記制御を行う。
【００７９】
次に、前記ヒートポンプユニット５００に備えられた前記ヒーポン制御部４５０について説明する。ヒーポン制御部４５０は、前記室外機制御部４１０、熱交換制御部４４０、室内機制御部４３０、貯湯制御部４２０と同様、記憶部と制御部とを備えており、その機能的構成を図６により説明する。
【００８０】
図６に示すように、前記ヒーポン制御部４５０は、ポンプ制御部４５０Ａと、圧縮機制御部４５０Ｂと、膨張弁制御部４５０Ｃと、室外ファン制御部４５０Ｄと、を機能的に備えている。
【００８１】
ポンプ制御部４５０Ａには、前記室外制御部４１０からの前記運転情報と、前記水冷媒熱交換器１１５の水側の流路１１５ａの出口側に設けられた温度センサ（図示せず）からの出口温度とが入力される。ポンプ制御部４５０Ａは、前記のようにして入力される前記運転情報に応じて、入力された前記の温度及び設定のうち少なくとも１つに基づき、前記沸上ポンプ１１９の回転数を制御する。
【００８２】
圧縮機制御部４５０Ｂには、前記室外機制御部４１０からの前記運転情報と、前記外気温度センサ２２により検出された前記外気温度Ｔａｉｒとが入力される。圧縮機制御部４５０Ｂは、前記のようにして入力される前記運転情報に応じて、入力された前記の温度及び設定のうち少なくとも１つに基づき、前記圧縮機１１４の回転数を制御する。
【００８３】
膨張弁制御部４５０Ｃには、前記室外機制御部４１０からの前記運転情報と、前記圧縮機１１４の吐出側に設けられた温度センサ（図示せず）により検出された前記冷媒吐出温度とが入力される。膨張弁制御部４５０Ｃは、前記運転情報に応じて、前記の入力された温度のうち少なくとも１つに基づき、前記膨張弁１２３の開度を制御する。
【００８４】
室外ファン制御部４５０Ｄには、前記室外機制御部４１０からの前記運転情報と、前記外気温度センサ２２により検出された前記外気温度Ｔａｉｒが入力される。室外ファン制御部４５０Ｄは、前記運転情報に応じて、前記外気温度Ｔａｉｒに基づき、前記室外ファン１６７の回転数を制御する。
【００８５】
なお、前記と同様、運転態様の決定を、ヒーポン制御部４５０内や貯湯制御部４２０や室内機制御部４３０や熱交換制御部４４０で行っても良い。この場合は、それらヒーポン制御部４５０や貯湯制御部４２０や室内機制御部４３０や熱交換制御部４４０で決定した運転態様に対応した前記運転情報に応じて、ポンプ制御部４５０Ａ、圧縮機制御部４５０Ｂ、膨張弁制御部４５０Ｃ、室外ファン制御部４５０Ｄが前記制御を行う。
【００８６】
ヒーポン制御部４５０は、上記ポンプ制御部４５０Ａ、圧縮機制御部４５０Ｂ、膨張弁制御部４５０Ｃ、室外ファン制御部４５０Ｄの制御により、前記水冷媒熱交換器１５における前記熱交換が行われない場合であっても（若しくは当該水冷媒熱交換器１５における前記熱交換の実行と併せて）、貯湯タンク２内の湯水を加熱して供給する沸上運転等を実行することができる。
【００８７】
ここで、前記したように、本実施形態のヒートポンプ給湯機１では、通常冷房運転、排熱利用給湯運転等の各種類の運転を選択的に実行することができる。以下、各運転の詳細を順次説明する。
【００８８】
＜通常冷房運転＞
まず、図７を用いて、通常冷房運転について説明する。この図７に示す通常冷房運転時（大気排熱冷房モードに相当）においては、前記四方弁制御部４１０Ａにより、前記四方弁３１は、前記配管部１８ａを前記配管部１８ｄに連通させると共に前記配管部１８ｃを前記配管部１８ｂに連通させる位置（前記した冷房側）に切り替えられる。また前記二方弁制御部４１０Ｅ，４４０Ｃにより、二方弁１２２が開き状態、二方弁１２１が閉じ状態に切り替えられる。さらに前記膨張弁制御部４１０Ｃ，４４０Ｂにより、膨張弁１１３が適宜の開度に調整された状態、膨張弁１１１が全閉状態に制御される。
【００８９】
この結果、圧縮機１４の吐出側の配管部１８ａ→配管部１８ｄ→配管部１８ｅ（二方弁１２２）→室外熱交換器１７→配管部１８ｆ（膨張弁１１３）→配管部２６ｂ→室内熱交換器２７→配管部２６ａ→配管部１８ｂ→圧縮機１４の吸入側の配管部１８ｃの冷媒経路が形成される。
【００９０】
これにより、低温・低圧で吸入されたガス状態の冷媒が前記圧縮機１４で圧縮されて高温・高圧のガスとなった後、室外ファン６７の回転駆動とともに凝縮器として機能する前記室外熱交換器１７において外気と熱交換を行って熱を放出しながら高圧の液体に変化する。こうして液体となった冷媒は前記膨張弁１１３において適宜に減圧されて低温・低圧の液体となって蒸発しやすい状態となり、室内ファン７７の回転駆動とともに蒸発器として機能する前記室内熱交換器２７において室内空気から吸熱して蒸発しガスに変化することで空調対象空間を冷却し、低温・低圧のガスとして再び圧縮機１４へと戻る。
【００９１】
＜排熱利用給湯運転＞
次に、図８を用いて、排熱利用給湯運転について説明する。この図８に示す排熱利用給湯運転時（排熱利用冷房モードに相当）においては、前記四方弁制御部４１０Ａにより、前記通常冷房運転時と同様、前記四方弁３１は、前記冷房側に切り替えられる。また前記二方弁制御部４１０Ｅ，４４０Ｃにより、二方弁１２２が閉じ状態、二方弁１２１が開き状態に切り替えられる。さらに前記膨張弁制御部４１０Ｃ，４４０Ｂにより、前記膨張弁１１３が全閉状態、前記膨張弁１１１が適宜の開度に調整された状態、に制御される。
【００９２】
この結果、圧縮機１４の吐出側の配管部１８ａ→配管部１８ｄ→配管部２５ａ（二方弁１２１）→水冷媒熱交換器１５→配管部２５ｂ（膨張弁１１１）→配管部２６ｂ→室内熱交換器２７→配管部２６ａ→配管部１８ｂ→圧縮機１４の吸入側の配管部１８ｃの冷媒経路が形成される。
【００９３】
これにより、低温・低圧で吸入されたガス状態の冷媒が前記圧縮機１４で圧縮されて高温・高圧のガスとなった後、凝縮器として機能する前記水冷媒熱交換器１５の前記冷媒側の流路１５ｂにおいて熱を放出しながら高圧の液体に変化する。こうして液体となった冷媒は前記膨張弁１１１において適宜に減圧されて低温・低圧の液体となって蒸発しやすい状態となり、室内ファン７７の回転駆動とともに蒸発器として機能する前記室内熱交換器２７において室内空気から吸熱して蒸発しガスに変化することで空調対象空間を冷却し、低温・低圧のガスとして再び圧縮機１４へと戻る。
【００９４】
またこのとき、沸上ポンプ１９が前記ポンプ制御部４４０Ａの制御により回転することで、貯湯タンク２下部に接続された前記配管５ｂから取り出された低温水（未加熱水）が、水冷媒熱交換器１５の前記水側の流路１５ａにおいて前記凝縮する冷媒から受熱して加熱された後、貯湯タンク２上部に接続された前記配管６ｂから貯湯タンク２内に戻されることで、貯湯タンク２内に順次高温水（加熱水）が積層状に貯湯される。以上の結果、夏期における冷房排熱を貯湯タンク２への湯水の加温（給湯）に活用することができる。
【００９５】
＜通常冷房運転と排熱利用給湯運転との切替＞
本実施形態では、前記したように、通常冷房運転（上記図７参照）と排熱利用給湯運転（上記図８参照）とを切替可能に構成されている。特に、本実施形態では、排熱利用給湯運転により貯湯タンク２の給湯処理を開始した後、所定の終了タイミング（詳細は後述）において冷房排熱を利用した給湯処理が終了され、通常冷房運転へと切り替えられる。一般に、このような切替は、予め定められた量の貯湯タンク２内の湯水の加温が終了した段階で行われ、前記通常冷房運転への切替によって、それ以降は冷房排熱は大気へと排熱されるようになる。
【００９６】
＜比較例＞
ここで、排熱利用給湯運転と通常冷房運転とは、上記のように冷媒の経路が互いに異なる。このため、前記のように排熱利用給湯運転から通常冷房運転へ切り替える際、（例えば故障防止等の観点から）それまで駆動されていた圧縮機１４をいったん停止し、冷媒経路を切り替えた後に、圧縮機１４を再起動する必要がある。この処理には通常数分程度を要することから、排熱利用給湯運転から通常冷房運転への切り替えの際、圧縮機１４の運転中断（言い換えれば冷房運転の中断）により、室内空間の室温が上昇する。このため、中断前の室温によっては、上昇によって冷房感が損なわれてしまう可能性がある。
【００９７】
そのような例を、以下、本実施形態の比較例として、図９を用いて説明する。
【００９８】
図９において、この例では、例えば、室内温度Ｔｒが、エアコン設定温度Ｔｃｏｎを含む所定の制御レンジ内（この例ではＴｃｏｎ−１℃≦Ｔｒ≦Ｔｃｏｎ＋１℃）となるように上記圧縮機制御部４１０Ｂが圧縮機１４が制御されている。これにより、室内温度Ｔｒは、当初、図示のように、上記Ｔｃｏｎ−１．０℃からＴｃｏｎ＋１℃までの間を直線的に変動する。
【００９９】
この状態で、例えば時刻ｔで前記排熱利用給湯運転が開始され、貯湯タンク２内の貯湯温度ＴＨ（給湯影響温度因子の一例）が徐々に上昇していく。そして、この例では、貯湯タンク２内の湯水が所定温度（この例では沸上終了温度Ｔｅｎｄ＝３０℃）となったタイミングが、前記終了タイミングとして予め設定されている。この結果、上記のように上昇する貯湯温度ＴＨが時刻ｔｏで３０℃に達したことによって、前記排熱利用給湯運転から通常冷房運転へと切り替えられる。
【０１００】
しかしながら、前述のように排熱利用給湯運転から通常冷房運転へ切り替えにはある程度の時間が必要である。この例では、前記切り替えに上記時刻ｔ０から時刻ｔ０′までの時間△ｔが必要となる結果、その間の圧縮機１４の停止によって、室内温度Ｔｒが右上がりに上昇し、時刻ｔ０′では制御レンジの外まで上昇してしまう（Ｔｃｏｎ＋１℃よりも高い温度となる）。
【０１０１】
＜実施形態による手法の概要＞
そこで、本実施形態においては、上記終了タイミング（Ｔｅｎｄ＝３０℃となったとき）が到来すると、まず、上記室内温度Ｔｒが上記エアコン設定温度Ｔｃｏｎよりも高いか否かが判定される。そして、Ｔｒ＞Ｔｃｏｎであった場合には、排熱利用給湯運転から通常冷房運転への切替タイミングを、上記終了タイミングとしての沸上終了温度Ｔｅｎｄ＝３０℃となったときよりも遅らせることでで、排熱利用給湯運転における給湯処理を延長して実行する。
【０１０２】
すなわち、図１０に示すように、上記時刻ｔに対応する時刻ｔ１で前記排熱利用給湯運転が開始され、貯湯タンク２内の貯湯温度ＴＨが徐々に上昇していく。そして、上記時刻ｔ０に対応するｔ１０において、前述と同様に貯湯タンク２内の湯水がＴｅｎｄ＝３０℃となる。ところが、このタイミングでは、室内温度Ｔｒが上記エアコン設定温度Ｔｃｏｎよりも高くなっている（図示○印参照）。これにより、本実施形態では、沸上終了温度Ｔｅｎｄ（＝３０℃）に６℃を加える補正を行うことで（給湯処理を終了することなく）続行する。これにより、貯湯温度ＴＨはそのまま上昇を続ける。
【０１０３】
その後、時刻ｔ００で、貯湯温度が上記補正後の沸上終了温度Ｔｅｎｄ＝３６℃に達し、これによって、前記排熱利用給湯運転から通常冷房運転へと切り替えられる。この３０℃→３６℃の補正によって給湯処理の実行が時刻ｔ１０から時刻ｔ００まで延長されたことから、前記室内温度Ｔｒは前記時刻ｔ１０における値（Ｔｃｏｎより若干高い値）よりも大きく低下し、この例では、制御レンジ外となる、前記Ｔｃｏｎ−１℃よりも低い値となっている。これにより、前記延長を行わない場合に比べ、より室内空間が冷えた状態で前記切り替えを行うことができる。
【０１０４】
この結果、時刻ｔ００から時間△ｔが経過した時刻ｔ００′までの間の圧縮機１４の停止によって、前記比較例と同様に室内温度Ｔｒが右上がりに上昇したとしても、時刻ｔ００′における前記上昇後の室内温度Ｔｒは制御レンジ内の値（この例ではＴｃｏｎ＋１℃よりも若干低い温度）に留まる（なお、比較の容易のために前記図９の比較例の挙動を破線で併せて示している）。すなわち、前記の時間△ｔにわたる運転中断によって室内温度Ｔｒが上昇した場合でも、冷房感が損なわれるのを抑制することができる。
【０１０５】
またこのとき、本実施形態では、前記したように室内温度Ｔｒが上記エアコン設定温度Ｔｃｏｎよりも高いと判定された場合に、どれだけ高いのか、すなわち偏差Ｔｒ−Ｔｃｏｎの大小に応じて、前記終了温度をどれだけ高くするのか、すなわち補正値を調整する。
【０１０６】
すなわち、例えば図１１に示す例では、上記時刻ｔ１よりもやや速い時刻ｔ２で前記排熱利用給湯運転が開始され、時刻ｔ２０で貯湯タンク２内の湯水がＴｅｎｄ＝３０℃となったとき、このタイミングでは、室内温度Ｔｒが上記エアコン設定温度Ｔｃｏｎよりもかなり高くなっている（図示△印参照）。これにより、本実施形態では、この場合は、沸上終了温度Ｔｅｎｄ＝３０℃に、前記６℃よりも大きい９℃を加える補正を行った後に前記給湯処理を続行する。
【０１０７】
これにより、その後、前記と同様、時刻ｔ００で、貯湯温度が上記補正後の沸上終了温度Ｔｅｎｄ＝３９℃に達し、前記排熱利用給湯運転から通常冷房運転へと切り替えられる。この場合、前記３０℃→３９℃という大きな補正値の補正によって、給湯処理の実行が時刻ｔ２０から時刻ｔ００までの比較的長い時間（前記の例の時刻ｔ１０から時刻ｔ００までの期間よりも長い）延長されている。これにより、前記のように前記時刻ｔ２０において前記エアコン設定温度Ｔｃｏｎよりもかなり高かった室内温度Ｔｒも十分に低下し、前記同様、制御レンジ外となる、前記Ｔｃｏｎ−１℃よりも低い値まで低下している。これにより、この場合も、確実に室内空間が冷えた状態で前記切り替えを行うことができる。
【０１０８】
さらに、本実施形態では、前記したように室内温度Ｔｒが上記エアコン設定温度Ｔｃｏｎよりも低いと判定された場合であっても、その偏差Ｔｃｏｎ−Ｔｒが比較的小さかった場合は、小さい前記補正値によって前記同様の沸上終了温度Ｔｅｎｄの補正を行う。
【０１０９】
すなわち、例えば図１２に示す例では、上記時刻ｔ１よりもやや遅い時刻ｔ３で前記排熱利用給湯運転が開始され、時刻ｔ３０で貯湯タンク２内の湯水がＴｅｎｄ＝３０℃となったとき、このタイミングでは、室内温度Ｔｒが上記エアコン設定温度Ｔｃｏｎよりも若干低いだけである（図示●印参照）。これにより、本実施形態では、この場合は、沸上終了温度Ｔｅｎｄ＝３０℃に、前記６℃よりも小さい３℃を加える補正を行った後に前記給湯処理を続行する。
【０１１０】
これにより、その後、前記と同様、時刻ｔ００で、貯湯温度が上記補正後の沸上終了温度Ｔｅｎｄ＝３３℃に達し、前記排熱利用給湯運転から通常冷房運転へと切り替えられる。この場合、前記３０℃→３３℃という小さな補正値の補正によって、給湯処理の実行が時刻ｔ３０から時刻ｔ００までの比較的短い時間（前記の例の時刻ｔ１０から時刻ｔ００までの期間よりも短い）だけ延長される。これにより、前記のように前記時刻ｔ３０において前記エアコン設定温度Ｔｃｏｎよりも若干低かった室内温度Ｔｒを少しだけ低下させて、前記同様に制御レンジ外となる、前記Ｔｃｏｎ−１℃よりもやや低い値まで低下させる。これにより、この場合も、確実に室内空間が冷えた状態で前記切り替えを行うことができる。
【０１１１】
なお、上記図１０〜図１２を用いて前述したような、補正値の大小調整は、本実施形態においては、例えば図１３に示すテーブル（例えば前記熱交換制御部４４０内の適宜の箇所に記憶されている）に沿って、行われる。
【０１１２】
図１３において、この例では、前記補正値は、補正量単位αを１つの単位として、例えばその整数倍で設定される。図示のように、例えば前述した室内温度Ｔｒ−エアコン設定温度Ｔｃｏｎの値が比較的大きい０．５℃以上の場合には、補正値は＋３αとなり、一例としてα＝３℃とした場合には、＋９℃となる。この結果、前述した例のように（補正前の）沸上終了温度Ｔｅｎｄ＝３０℃であった場合には、補正後の沸上終了温度Ｔｅｎｄ＝３９℃となる（前記図１１参照）。
【０１１３】
また例えば、前述の室内温度Ｔｒ−エアコン設定温度Ｔｃｏｎの値が比較的小さい０℃以上０．５℃未満の場合には、補正値は＋２αとなり、α＝３℃の場合には＋６℃となる。この結果、前述した補正前の沸上終了温度Ｔｅｎｄ＝３０℃であった場合には、補正後の沸上終了温度Ｔｅｎｄ＝３６℃となる（前記図１０参照）。
【０１１４】
さらに例えば、前述のように室内温度Ｔｒがエアコン設定温度Ｔｃｏｎよりもわずかに低く室内温度Ｔｒ−エアコン設定温度Ｔｃｏｎの値が−０．５℃以上０℃未満の場合には、補正値は＋αとなり、α＝３℃の場合には＋３℃となる。この結果、前述した補正前の沸上終了温度Ｔｅｎｄ＝３０℃であった場合には、補正後の沸上終了温度Ｔｅｎｄ＝３３℃となる（前記図１２参照）。
【０１１５】
なお、本実施形態においては、前記の３つのいずれにも当てはまらない場合、すなわち、室内温度Ｔｒ−エアコン設定温度Ｔｃｏｎの値が−０．５℃未満の場合には、補正値は０となり、沸上終了温度Ｔｅｎｄは補正されない３０℃のままとなる。
【０１１６】
＜処理手順＞
排熱利用給湯運転時における上記手法を実現するために、主として前記熱交換制御部４４０が実行する処理手順を、図１４に示すフローチャートによって説明する。
【０１１７】
図１４において、まず、ステップＳ１０で、前記熱交換制御部４４０、前記室外機制御部４１０、前記室内機制御部４３０、及び、前記貯湯制御部４２０は、互いに連携して前記排熱利用給湯運転を開始する。
【０１１８】
その後、ステップＳ２０で、例えば前記熱交換制御部４４０が、上記ステップＳ１０で開始された前記排熱利用給湯運転の給湯処理を終了するためにこの時点で予め定められている、前記終了タイミングが到来したか否かを判定する。この例では、前述したように、前記貯湯温度センサ１２の検出結果に基づき、前記貯湯温度ＴＨが前記沸上終了温度Ｔｅｎｄ＝３０℃に達したか否かが判定される。
ＴＨ＝３０℃となっていなければこの判定は満たされず（Ｓ２０：ＮＯ）、判定が満たされるまでループ待機する。ＴＨ＝３０℃となっていれば判定が満たされ（Ｓ２０：ＹＥＳ）、ステップＳ３０に移行する。なお、このステップＳ２０を実行する主体（例えば前記熱交換制御部４４０）が各請求項記載のタイミング判定手段として機能する。
【０１１９】
その後、ステップＳ３０では、前記熱交換制御部４４０は、前記室内温度センサ３４により検出された前記室内温度Ｔｒを、例えば前記室内機制御部４３０を介し取得する。
【０１２０】
その後、ステップＳ４０で、前記熱交換制御部４４０は、ステップＳ３０で取得した室内温度Ｔｒと、前記リモコン６０から取得された前記エアコン設定温度Ｔｃｏｎとの差Ｔｒ−Ｔｃｏｎが０．５℃以上であるか否かを判定する。０．５℃未満であればこの判定は満たされず（Ｓ４０：ＮＯ）、後述のステップＳ６０に移行する。０．５℃以上であればこの判定が満たされ（Ｓ４０：ＹＥＳ）、ステップＳ５０に移行する。
【０１２１】
ステップＳ５０では、前記熱交換制御部４４０は、前記補正値を＋３αとする。図１３を用いて前述したα＝３℃の例に沿った場合は、補正値は＋９℃となる（前記の図１１参照）。その後、後述のステップＳ１１０へ移行する。
【０１２２】
一方、ステップＳ６０では、前記熱交換制御部４４０は、前記の差Ｔｒ−Ｔｃｏｎが０℃以上０．５℃未満であるか否かを判定する。０℃未満であればこの判定は満たされず（Ｓ６０：ＮＯ）、後述のステップＳ８０に移行する。０℃以上０．５℃未満であればこの判定は満たされ（Ｓ６０：ＹＥＳ）、ステップＳ７０に移行する。なお、このステップＳ６０及び前記ステップＳ４０を実行する前記熱交換制御部４４０が、各請求項記載の第１温度判定手段として機能する。
【０１２３】
ステップＳ７０では、ヒートポンプ給湯機１は、前記補正値を＋２αとする。図１３を用いて前述したα＝３℃の例に沿った場合は、補正値は＋６℃となる（前記の図１０参照）。その後、後述のステップＳ１１０へ移行する。
【０１２４】
一方、ステップＳ８０では、前記熱交換制御部４４０は、前記の差Ｔｒ−Ｔｃｏｎが−０．５℃以上０℃未満であるか否かを判定する。−０．５℃未満であれば判定は満たされず（Ｓ８０：ＮＯ）、後述のステップＳ１００に移行する。−０．５℃以上０℃未満であれば判定は満たされ（Ｓ８０：ＹＥＳ）、ステップＳ９０に移行する。なお、このステップＳ８０を実行する前記熱交換制御部４４０が各請求項記載の第２温度判定手段として機能する。
【０１２５】
ステップＳ９０では、前記熱交換制御部４４０は、前記補正値を＋αとする。図１３を用いて前述したα＝３℃の例に沿った場合は、補正値は＋℃となる（前記の図１２参照）。なお、このステップＳ９０、前記ステップＳ５０、及び前記ステップＳ７０を実行する前記熱交換制御部４４０が各請求項記載の延長設定手段として機能する。その後、後述のステップＳ１１０に移行する。
【０１２６】
一方、前記熱交換制御部４４０は、前記補正値を０とする。その後、ステップＳ１１０に移行する。
【０１２７】
前記ステップＳ５０、若しくは前記ステップＳ７０、若しくは前記ステップＳ９０、若しくは前記ステップＳ１００から移行したステップＳ１１０では、前記熱交換制御部４４０は、前記ステップＳ２０で前記終了タイミングが到来したと判定されたことを契機とする所定の前記切替タイミングが到来したか否かを判定する。この例では、前述したように、前記貯湯温度センサ１２の検出結果に基づき、前記貯湯温度ＴＨが、この時点での沸上終了温度（すなわちステップＳ５０、ステップＳ７０、ステップＳ９０での補正後の沸上終了温度Ｔｅｎｄ、若しくは、ステップＳ１００で補正されていない沸上終了温度Ｔｅｎｄ）に達したか否かを判定する。貯湯温度ＴＨがこの時点での沸上終了温度Ｔｅｎｄに達していなければこの判定は満たされず（Ｓ１１０：ＮＯ）、判定が満たされるまでループ待機する。この時点での沸上終了温度Ｔｅｎｄに達していればこの判定は満たされ（Ｓ１１０：ＹＥＳ）、ステップＳ１２０に移行する。このステップＳ１１０を実行する前記熱交換制御部４４０が、各請求項記載の延長処理手段として機能する。
【０１２８】
ステップＳ１２０では、例えば前記熱交換制御部４４０と前記室外機制御部４１０とが互いに連携して、上記圧縮制御部４１０Ｂを介し圧縮機１４の駆動をいったん停止する。
【０１２９】
その後、ステップＳ１３０で、前記熱交換制御部４４０、前記室外機制御部４１０、前記室内機制御部４３０、及び、前記貯湯制御部４２０は、互いに連携して前記排熱利用給湯運転から前記通常冷房運転への運転切替を行う。その後、このフローを終了する。なお、このステップＳ１３０を実行する主体（例えば、前記前記熱交換制御部４４０、前記室外機制御部４１０、前記室内機制御部４３０、及び、前記貯湯制御部４２０）が各請求項記載の冷房モード切替手段として機能する。
【０１３０】
＜実施形態の効果＞
以上説明したように、本実施形態におけるヒートポンプ給湯機１によれば、排熱利用給湯運転により貯湯タンク２の給湯処理を開始した後、所定の終了タイミング（前記の例でＴｅｎｄ＝３０℃となったとき）で、まず、上記室内温度Ｔｒが上記エアコン設定温度Ｔｃｏｎよりも高いか否かが判定される。そして、Ｔｒ＞Ｔｃｏｎであった場合には、排熱利用給湯運転から通常冷房運転への切替タイミングを、上記終了タイミングとしての沸上終了温度Ｔｅｎｄ＝３０℃となったときよりも遅らせることで、排熱利用給湯運転における給湯処理を延長して実行する。これにより、前記延長を行わない場合に比べ、より室内空間が冷えた状態で前記切り替えを行うことができる。この結果、前記の中断によって前記室内温度Ｔｒが上昇したとしても、冷房感が損なわれるのを抑制し、快適性を維持することができる。
【０１３１】
また、本実施形態では特に、給湯性能に係わる前記給湯影響温度因子としての、貯湯タンク２内の貯湯温度ＴＨが所定値（前記の例ではＴｅｎｄ＝３０℃）に達したか否かを前記終了タイミングとすることにより、予め定められた量の貯湯タンク２内の湯水の加温終了を確実に見極めることができる。また、その終了タイミングに前記補正値を加えて切り替えタイミングとし時期的判断の基準とすることで、前記の延長処理を実行することによる給湯性能への影響を最小限に抑えつつ、冷房感が損なわれるのを抑制することができる。
【０１３２】
また、前記運転切替のために圧縮機１４を停止する際、前記室内温度Ｔｒが前記エアコン設定温度Ｔｃｏｎを下回っていたとしても、その差がそれほど大きくない場合は、前記停止に伴う前記室内温度Ｔｒの上昇によって冷房感が損なわれる可能性があり得る。本実施形態によれば、これに対応し、前記エアコン設定温度Ｔｃｏｎ近傍で当該Ｔｃｏｎより低い温度範囲（前述の例では室内温度Ｔｒ−エアコン設定温度Ｔｃｏｎの値が−０．５℃以上０℃未満となる範囲）が予め定められており、前記終了タイミングの到来時に、前記室内温度Ｔｒが当該範囲内であるか否かが判定される。そして、前記室内温度Ｔｒが当該範囲内であった場合についても、前記給湯処理の延長が実行される（ステップＳ９０参照）。これにより、前記室内温度Ｔｒの上昇により冷房感が損なわれるのを確実に防止することができる。
【０１３３】
また、室内温度Ｔｒの上昇によって冷房感が損なわれる下限温度をある一定値としたとき、前記室内温度Ｔｒと前記エアコン設定温度Ｔｃｏｎとの差が大きい場合には、室内温度Ｔｒ上昇時に下限温度に達しないようにするためには前記延長処理時に大きく温度低下させる必要があるのに対し、前記室内温度Ｔｒと前記エアコン設定温度Ｔｃｏｎとの差が小さい場合には、室内温度Ｔｒ上昇時に下限温度に達しないようにするために延長処理時にそれほど大きく温度低下させる必要はない。これに対応して、本実施形態では特に、室内温度Ｔｒ−エアコン設定温度Ｔｃｏｎの温度差に応じて、給湯処理の延長期間を可変に設定する。これにより、例えば前記室内温度Ｔｒが前記エアコン設定温度Ｔｃｏｎよりもかなり高い場合において室内温度Ｔｒ上昇時に確実に前記下限温度に達しないようにできる一方、室内温度Ｔｒがエアコン設定温度Ｔｃｏｎよりもそれほど高くない場合においては給湯処理を最小限にとどめることができる。
【０１３４】
また、本実施形態では特に、前記室内温度Ｔｒと前記エアコン設定温度Ｔｃｏｎとの差が大きいほど前記延長期間を長く、前記差が小さいほど前記延長期間を短く設定する。これにより、前記室内温度Ｔｒが前記エアコン設定温度Ｔｃｏｎよりもかなり高い場合においても室内温度Ｔｒ上昇時に確実に前記下限温度に達しないようにできるとともに、前記室内温度Ｔｒが前記エアコン設定温度Ｔｃｏｎよりもそれほど高くない場合においては給湯処理を最小限にとどめ、必要以上に無駄な加温を行わないようにすることができる
【０１３５】
また、本実施形態では特に、圧縮機制御部４１０Ｂによる圧縮機１４の制御により、室内温度Ｔｒが、前記制御レンジ（上記エアコン設定温度Ｔｃｏｎを含む）内において変動するように制御される。そして、室内温度Ｔｒがそのように制御レンジ内に限定されて変動する際において、エアコン設定温度Ｔｃｏｎよりも高い場合、及び、エアコン設定温度Ｔｃｏｎよりも低い前記範囲内である場合に、前記延長期間だけ給湯処理が延長して実行される。これにより、前記した圧縮機１４の運転中断に伴う室内温度Ｔｒ上昇時において確実に下限温度に達しないようにすることができる。また、前記制御レンジ内を変動する室内温度Ｔｒが前記範囲外である場合には、室内温度Ｔｒが十分にエアコン設定温度Ｔｃｏｎよりも低いことから、給湯処理の延長を行わないようにすることで、無駄な加温を行わないようにすることができる。
【０１３６】
また、本実施形態では特に、前記終了タイミングが、給湯性能に係わる前記給湯影響温度因子としての、前記貯湯温度ＴＨ（第１検出値に相当）が、Ｔｅｎｄ＝３０℃（第１所定温度に相当）に達したタイミングであり、前記切替タイミングは、前記貯湯温度ＴＨが、前記Ｔｅｎｄ＝３０℃に所定の値、すなわち前記３℃又は前記６℃又は前記９℃（第１温度偏差△Ｔ１に相当）を加えた値に達したタイミングである。
【０１３７】
これにより、貯湯タンク２内の前記貯湯温度ＴＨが前記Ｔｅｎｄ＝３０℃に達した後、さらに前記３℃又は前記６℃又は前記９℃を加えた値に達したタイミングまで給湯処理が実行される。このように給湯される貯湯タンク２内の前記貯湯温度ＴＨを監視しつつ前記延長処理を行うことにより、給湯性能への影響を確実に抑えつつ冷房感が損なわれるのを抑制することができる。
【０１３８】
なお、上記においては、前記給湯影響温度因子として、前記貯湯温度ＴＨを用いたが、これに限られない。
【０１３９】
すなわち例えば、前記給湯影響温度因子として、排熱利用給湯運転時において入水温度センサ２３により検出される、加熱戻り管６から水冷媒熱交換器１５の水側の流路１５ａに流入する湯水の入水温度Ｔ１（第２検出値に相当）を用いても良い。この場合、前記終了タイミングは、当該入水温度Ｔ１が予め適宜に定めた所定値（第２所定温度に相当）に達したタイミングとし、前記切替タイミングは、前記入水温度Ｔ１が、前記所定値に所定の値（第２温度偏差△Ｔ２に相当）を加えた値に達したタイミングとすればよい。
【０１４０】
この場合、冷媒側と熱交換して受熱する湯水が水冷媒熱交換器１５に流入するときの前記入水温度Ｔ１が前記第２所定温度に達した後、さらに前記第２温度偏差△Ｔ１を加えた値に達したタイミングまで給湯処理が実行される。このように貯湯タンク２内へ給湯される直前の湯水の温度を監視しつつ延長処理を行うことにより、給湯性能への影響を確実に抑えつつ冷房感が損なわれるのを抑制することができる。
【０１４１】
また、例えば、前記給湯影響温度因子として、排熱利用給湯運転時において冷媒出口センサ２１により検出される、前記水冷媒熱交換器１５の冷媒側の流路１５ｂから冷媒配管２５内へ流出する冷媒の冷媒流出温度Ｔ２（第３検出値に相当）を用いても良い。この場合、前記終了タイミングは、前記冷媒流出温度Ｔ２が予め適宜に定めた所定値（第３所定温度に相当）に達したタイミングとし、前記切替タイミングは、前記冷媒流出温度Ｔ２が、前記所定値に所定の値（第３温度偏差△Ｔ３に相当）を加えた値に達したタイミングとすればよい。
【０１４２】
この場合、湯水側と熱交換して放熱する冷媒が水冷媒熱交換器１５から流出するときの前記冷媒流出温度Ｔ２が前記第３所定温度に達した後、さらに前記第３温度偏差△Ｔ３を加えた値に達したタイミングまで給湯処理が実行される。このように、貯湯タンク２内へ給湯される湯水と熱交換した直後の冷媒温度を監視しつつ延長処理を行うことにより、給湯性能への影響を確実に抑えつつ冷房感が損なわれるのを抑制することができる。
【０１４３】
なお、本発明は以上の態様に限定されることなく、その趣旨を変更しない範囲で適用可能なもので、例えば、前記二方弁１２１，１２２のうち少なくとも１つを、閉止機能付きの膨張弁で置き換えても良い。また、前記膨張弁１１１，１１３に代え、減圧器としてエジェクターを用いても良い。
【符号の説明】
【０１４４】
１                ヒートポンプ給湯機（冷房排熱貯湯装置）
２                貯湯タンク
１２              貯湯温度センサ
１４              圧縮機
１５              水冷媒熱交換器
１５ａ            冷媒側の流路
１５ｂ            水側の流路
１７              室外熱交換器（ヒートポンプ熱交換器）
１８              冷媒配管
２３              入水温度センサ
２５              冷媒配管
２６              冷媒配管
２７              室内熱交換器
３０              冷媒循環回路
４４０            熱交換制御部
４１０Ｂ          圧縮機制御部（圧縮機制御手段）
Ｔ２              冷媒流出温度（第３検出値）
Ｔｒ              室内温度
Ｔｃｏｎ          エアコン設定温度
ＴＨ              貯湯温度
【図１】
2020056513.tif 000003
【図２】
2020056513.tif 000004
【図３】
2020056513.tif 000005
【図４】
2020056513.tif 000006
【図５】
2020056513.tif 000007
【図６】
2020056513.tif 000008
【図７】
2020056513.tif 000009
【図８】
2020056513.tif 000010
【図９】
2020056513.tif 000011
【図１０】
2020056513.tif 000012
【図１１】
2020056513.tif 000013
【図１２】
2020056513.tif 000014
【図１３】
2020056513.tif 000015
【図１４】
2020056513.tif 000016